(57)【要約】【課題】長期間無保守で、玄関内側・階段・廊下等を薄明かりで終夜照明し、無灯火でも明かりが確保できる住宅用局所照明装置を提供する。【解決手段】住宅用局所照明装置Ａは、太陽光の照射する住宅の一箇所に設置され太陽電池モジュールによって発電された直流電力を蓄電池５に充電して直流のまま給電する直流給電システム１と、住宅内の壁、柱等に取付けられて直流給電システム１により給電される１２Ｖ以下の直流電力によって消費電力０．１〜０．５Ｗ未満のＬＥＤチップ１３を終日点灯させるＬＥＤ照明ユニット１０とを有する。ＬＥＤ照明ユニット１０を住宅内の廊下、階段、玄関等の移動経路に必要数設置することにより、無灯火でも移動経路は０．５〜１ルクス程度の明るさが終夜確保される。【選択図】図１
2010250990.tif 000002
【特許請求の範囲】
【請求項１】
太陽光の照射する住宅の一箇所に設置され太陽電池によって発電された直流電力を蓄電池に充電して直流のまま給電する直流給電システムと、住宅内の壁、柱等に取付けられて前記直流給電システムにより給電される１２Ｖ以下の直流電力によって消費電力０．１〜０．５Ｗ未満のＬＥＤを終日点灯させるＬＥＤ照明ユニットとを有し、前記ＬＥＤ照明ユニットを住宅内の廊下、階段、玄関等の移動経路に必要数設置することにより、無灯火でも前記移動経路は０．５〜１ルクス程度の明るさが終夜確保されることを特徴とする住宅用局所照明装置。
【請求項２】
前記ＬＥＤ照明ユニットに、前記直流給電システムを接続するための入力端子を設けたことを特徴とする請求項１に記載の住宅用局所照明装置。
【請求項３】
一の前記ＬＥＤ照明ユニットに、他の前記ＬＥＤ照明ユニットを接続するための出力端子を設け、一のＬＥＤ照明ユニットの前記出力端子と他のＬＥＤ照明ユニットの前記入力端子とを接続することにより、ＬＥＤ照明ユニットを順次増設するようにしたことを特徴とする請求項２に記載の住宅用局所照明装置。
【請求項４】
前記ＬＥＤ照明ユニットは、強力両面テープや二箇所程度のビス止めで、簡単に取付けられることを特徴とする請求項１〜請求項３のいずれかに記載の住宅用局所照明装置。
【発明の詳細な説明】
【技術分野】
【０００１】
本発明は、住宅内の廊下、階段、玄関等の移動経路を照度の低い光で終夜照明する住宅用局所照明装置に関するものである。
【背景技術】
【０００２】
近年、地球温暖化の原因となるＣＯ2の排出量の削減が叫ばれており、電源に太陽電池、光源にＬＥＤを使用した省エネルギーで環境負荷の低い照明装置が提案されている。
【０００３】
太陽電池とＬＥＤ光源を組み合わせた照明装置の例として、街路灯（特許文献１参照）が開示されている。街路灯は、太陽電池を使用した優れた独立型電源が可能であるため、災害などで停電した際に、住宅から避難場所に至る屋外の避難経路の照明に役立つ。しかし、屋外設置の照明装置は、本体支柱・ポール部が長大・重量物なものとなり、輸送手段・設置工事も制約を受け、これを取付けるコンクリート基礎も大きな専用基礎が必要であり、一般家庭に簡単に設置のできるようなものではない。したがって、災害時に停電が起こると、屋内に避難経路となる住宅内の廊下、階段、玄関等が依然として暗闇に包まれおり、こうした屋内の避難経路を移動して外へ出るまでに怪我をしたりして危険である。また、一刻を争う状況下では、暗闇の中を手探りで懐中電灯を探したりする余裕もないときがある。
【０００４】
こうした災害対策に加え、特に近年は高齢化社会となり、一般家庭でも、就寝時に廊下、階段、玄関等を終夜薄明かりで照らして、照明器具のスイッチを触らなくても高齢者が夜中にトイレなどに安心して行けるように安全を確保しておくことは望ましい。しかし、現実にはそれを実現できる環境とはなっていない。その理由として、一般家庭での防災対策意識がまだまだ薄いことと、誰もいない場所に終夜従来照明灯で明かりをつけておくことの不経済性があり、就寝時は照明を消して寝るというのがほとんどの家庭の実情だからである。
【０００５】
従来、コンセント上に差し込んで使用するタイプの小型の保安灯が商品化されているが、電源は商用電源式であり、ＬＥＤまたは豆電球を使用した小型の懐中電灯程度の明るさと狭い範囲しか照射しない照明灯具である。小さなニカド電池や、ニッケル-水素二次電池などの蓄電池を組込んで、停電時に自動点灯する商品もあるが、一般家屋内では通常室内の壁の定位置にしかコンセントがなく、この室内の壁コンセント上でしか使えないため、薄明かりでよいので照明が欲しい場所、玄関内・階段・廊下を照らすことができない。このため、足元からその周辺が障害物等を識別できる程度の明るさも確保することができず、停電時・非常時にあまり役に立たない。また、家屋内で新たな場所に壁コンセント等を増設する場合は、電気工事士の資格を持つ者でなければ、設置工事ができないなど手間とコストが掛かることも問題であった。
【０００６】
以上のような理由で商用電源式照明機器では、終日連続照明は困難な場合が多く、終日連続照明とするには、電気代が気にならないほどの超低消費電力光源とする必要があったが、これまでは発光効率の低い光源しかなかった。
【０００７】
特許文献２には、太陽電池パネルを備えたコンセント取付型のＬＥＤ保安灯も提案されているが、屋内では太陽光が届かないため、太陽電池パネルはあくまで停電時の非常用であり、上記経済性の問題を解決するものではない。
【先行技術文献】
【特許文献】
【０００８】
【特許文献１】特開２００４−２００１３４号公報
【特許文献２】特開２００６−２８００８６号公報
【発明の概要】
【発明が解決しようとする課題】
【０００９】
本発明は上記従来技術の問題に鑑みてなされたものであり、長期間無保守で、玄関内側・階段・廊下等を薄明かりで終夜照明し、無灯火でも明かりが確保できる住宅用局所照明装置を提供することを目的とする。
【課題を解決するための手段】
【００１０】
上記目的を達成するために本発明の住宅用局所照明装置は、太陽光の照射する住宅の一箇所に設置され太陽電池によって発電された直流電力を蓄電池に充電して直流のまま給電する直流給電システムと、住宅内の壁、柱等に取付けられて前記直流給電システムにより給電される１２Ｖ以下の直流電力によって消費電力０．１〜０．５Ｗ未満のＬＥＤを終日点灯させるＬＥＤ照明ユニットとを有し、前記ＬＥＤ照明ユニットを住宅内の廊下、階段、玄関等の移動経路に必要数設置することにより、無灯火でも前記移動経路は０．５〜１ルクス程度の明るさが終夜確保されることを特徴としている。
【００１１】
この構成によると、住宅内の廊下、階段、玄関等の移動経路は、無灯火でも満月時の地上程度の明るさが終夜確保されるので、住宅内の歩行移動に支障を来すことがない。
【００１２】
また、本発明の住宅用局所照明装置は、上記構成において、前記ＬＥＤ照明ユニットに、前記直流給電システムを接続するための入力端子を設けたことを特徴としている。この構成によると、電気工事士資格のない者でも簡単に直流給電システムとＬＥＤユニットとの間を配線・接続することができる。
【００１３】
また、本発明の住宅用局所照明装置は、上記構成において、一の前記ＬＥＤ照明ユニットに、他の前記ＬＥＤ照明ユニットを接続するための出力端子を設け、一のＬＥＤ照明ユニットの前記出力端子と他のＬＥＤ照明ユニットの前記入力端子とを接続することにより、ＬＥＤ照明ユニットを順次増設するようにしたことを特徴としている。
【００１４】
この構成によると、複数のＬＥＤ照明ユニットを、壁などに間隔を空けて並べて取り付ける場合に、隣接するＬＥＤ照明ユニットの出・入力端子間を配線・接続する形で増設していけるので、電気工事士資格のない者でも簡単にＬＥＤユニットを増設することができる。また、隣接するＬＥＤユニット間の配線がそれほど長くならないので、露出する配線が目障りになることを極力抑えることができる。
【００１５】
また、本発明の住宅用局所照明装置は、上記構成において、前記ＬＥＤ照明ユニットは、強力両面テープや二箇所程度のビス止めで、簡単に取付けられるようにしている。ことを特徴としている。この構成によると、電気工事士資格や特別な施工知識のない者でも、ＬＥＤ照明ユニットを住宅内の壁や柱等に簡単に取付けることが可能となる。
【発明の効果】
【００１６】
本発明によると、長期間無保守で、玄関内側・階段・廊下等の住宅内の移動経路を薄明かりで終夜照明し、無灯火でも移動経路の広範囲にわたって満月時の地上程度の明るさが終夜確保される。よって、足元からその周辺の障害物等を識別することができ、災害停電時に屋外へ避難する際や、夜間に高齢者や子供の歩行する際の安全を十分に確保することができる。また、商用電源を使用しないため電気代が不要である。さらに、直流給電システムを使用するので電力のロスが少なく、１２Ｖ以下の低電圧で０．１〜０．５Ｗ未満のＬＥＤ照明ユニットを駆動するので負荷が小さく直流給電システムで動作する他の機器や照明装置等が電力不足で停止するおそれがない。
【図面の簡単な説明】
【００１７】
【図１】本発明の一実施形態に係る住宅用局所照明装置の概略ブロック図
【図２】上記住宅用局所照明装置を構成する直流給電システムの一例を示す斜視図
【図３】上記住宅用局所照明装置を構成するＬＥＤ照明ユニットの一例を示す平面図（ａ）及び側断面図（ｂ）
【図４】上記ＬＥＤ照明ユニットの他の例を示す側断面図であり、カバー内面の変形例を示すもの
【図５】上記ＬＥＤ照明ユニットのさらに他の例を示す平面図であり、ユニット取付手段の変形例を示すもの  ２箇所のビス穴付きフランジが設けられたもの
【図６】上記ＬＥＤ照明ユニットの使用状態を示す、廊下（ａ）及び階段（ｂ）の一部省略斜視図
【発明を実施するための形態】
【００１８】
以下に本発明の実施形態を図面を参照して説明する。
【００１９】
＜住宅用局所照明装置＞
図１は本発明の一実施形態に係る住宅用局所照明装置Ａの概略ブロック図である。住宅用局所照明装置Ａは、図１に示すように、太陽光の照射する住宅の一箇所に設置され太陽電池モジュール（不図示）によって発電された直流電力を蓄電池５に充電して直流のまま給電する直流給電システム１と、住宅内の壁、柱等に取付けられて直流給電システム１により給電される１２Ｖ以下の直流電力によって消費電力０．１〜０．５Ｗ未満のＬＥＤチップ１３（図３参照）を終日点灯させる複数の定低消費電力タイプＬＥＤ照明ユニット１０とを有する。
【００２０】
＜直流給電システム＞
直流給電システム１は、通称「ＤＣエコハウス（或いはエコホーム）システム」と呼ばれ、ベランダ・屋上・屋根・庭等の日当たりの良い場所（太陽光の照射する場所）に設置される。
【００２１】
図２は、直流給電システム１の斜視図である。図２に示すように、直流給電システム１は、外装ケース３天面に取付けられた太陽電池ユニット部２、外装ケース３内に収納されたコントローラ４、蓄電池５及び小型ヒューズ６等を備える。外装ケース３内下部に、重量の大きな蓄電池５を配置し、その上部にコントローラ４を配置、外装ケース３外上部に太陽電池を取り付ける構造とすることにより、自重で安定するので、直流給電システムは強風時転倒等することがなく、特殊な設置工事は必要が無い。なお、コントローラ４は蓄電池５の横に設置してもよい。
【００２２】
太陽電池ユニット部２は、箱型の外装ケース３の天面の両側端部に固定された平型の屈曲支柱７、７によって所定の勾配をもって取付けられている。太陽電池ユニット部２の上面には、結晶系又は薄膜系の太陽電池モジュール（不図示）の受光面２ａが形成されている。
【００２３】
外装ケース３は、内部に収納される部品類を風雨から保護するシール性に加え、重量のある太陽電池モジュール２を支えるだけの強度を持つ。外装ケース３の材質は、ステンレス製等とし、表面をヘアーライン研磨又は光沢仕上げとすることにより、太陽光を反射させ、熱エネルギーの吸収を押え、内部収納の蓄電池の温度上昇負荷を低減するようにしている。外装ケース３の底面の両側端部には脚８、８が固定され、全体底上げして雨水の流れを妨げないようにしている。外装ケース３の底面各コーナーには穴（不図示）が設けてあり、内部の温度上昇した空気が自然換気することにより、充電時及び夏期の蓄電池の温度上昇による、自己放電増大を抑制するようにしている。
【００２４】
コントローラ４はマイコンなどから構成され、太陽電池ユニット部２から蓄電池５への充電と蓄電池４からの放電を制御するともに、超低消費電力タイプＬＥＤ照明ユニット１０に入力される直流電力の電圧を６Ｖ又は１２Ｖに設定するものである。コントローラ４には、図１に示すように、通常の蛍光灯に相当する明るさを持つ別の高照度タイプのＬＥＤ室内灯２７や局部照明灯２８が接続される端子部（不図示）が設けられることもある。ただし、このような灯具２７，２８は、本発明の住宅用局所照明装置Ａを構成するものではない。なお、端子部の代わりに専用端子台を別に設けてもよい。
【００２５】
蓄電池５は、不照日数５〜７日分プラス余裕の容量を持たせた、長寿命二次電池を使用している。二次電池には、リチウムイオン次電池、ニカド電池や、ニッケル-水素二次電池などの周知の二次電池を使用できる。
【００２６】
小型ヒューズ６は、ショートが起こった場合に、出力される電流値を安全レベルに抑える役割をする。小型ヒューズ６には、出力端子（不図示）が設けられ、該出力端子に超低消費電力ＬＥＤ照明ユニット１０に接続するための配線材２０1（図１参照）の一端に設けられるコネクタ２１（図３参照）が接続される。
【００２７】
＜超低消費電力タイプＬＥＤ照明ユニット＞
超低消費電力タイプＬＥＤ照明ユニット１０は、上記直流給電システム１の蓄電池５に充電された直流電力をそのまま使用でき、消費電力も０．１〜０．５Ｗ未満であり省エネに配慮されている。
【００２８】
図３は、超低消費電力タイプＬＥＤ照明ユニット１０の一例を示す平面図（ａ）及び側断面図（ｂ）である。超低消費電力タイプＬＥＤ照明ユニット１０は、アルミ合金製又は合成樹脂ベース部１５の上にＬＥＤモジュールＭを装備、その上に光拡散カバー１４を取付けた、軽量薄型コンパクト品としており、両面テープ２４で壁に貼り付けられるほど軽量なものである。例えば、図のような略直方体の外形のものとした場合、外寸は縦寸Ｘが６〜１０ｃｍ、横寸Ｙが４〜６ｃｍ、厚寸Ｚは１．５〜２ｃｍであり、総重量は２００〜４００ｇ程度である。なお、超低消費電力タイプＬＥＤ照明ユニット１０の縦横は逆にして使用してもよい。
【００２９】
ＬＥＤモジュールＭは、プリント基板１１上に、１個のチップ抵抗１２と３個のＬＥＤチップ１３、１３、１３を横１列として縦方向に４列実装したものである。なお、一列のチップ抵抗１２やＬＥＤチップ１３の個数、列数は一例である。なお、プリント基板１１上のパターンは省略しているが、一列をなす１個のチップ抵抗１２と３個のＬＥＤチップ１３、１３、１３は直列に接続され、そして列同士は並列に接続されているものとする。また、５０年以上のＬＥＤチップ１３の発光を維持させるために、複数のＬＥＤチップ１３を装備したプリント基板１１の表面を、非常に耐候性・透明度の高いシリコーン系樹脂でコーティングし、更に半硬化状態でもう一層追加し、最適結合の２層コーティングを施している。
【００３０】
プリント基板１１の下端縁中央部に入力端子１６及び出力端子１７が設けられている。各端子１６、１７には、配線材２０n（ｎは自然数）の両端に設けられる着脱式のコネクタ２１が装着可能であり、図１に示すように、配線材２０nを介して、小型ヒューズ７と超低消費電力タイプＬＥＤユニット１０との間や増設される超低消費電力タイプＬＥＤユニット１０間の電気的接続を可能にしている。超低消費電力タイプＬＥＤユニット１０を増設する場合は、一のユニットの出力端子１７と他のユニット１０の入力端子１６とを配線材２０nで接続していけば順次増設できる。
【００３１】
チップ抵抗１２は、ＬＥＤチップ１３への通電電流を定格値の１／２〜１／１０に低減することにより、ＬＥＤチップ１３の寿命を大幅に伸ばすと共に、超低消費電力化を実現するものである。
【００３２】
ＬＥＤチップ１３は、１００ルーメン／Ｗ以上のチップ型の高輝度白色ＬＥＤが好適である。このＬＥＤチップ１３は微小電流により高輝度での発光が可能であるため、複数個（図３の例では１ユニット当たり１２個）の使用により超低電力で人の目で周辺が見える程度の薄明かりの照明を実現することができる。ＬＥＤは砲弾型でなくチップ型が好ましい。その理由としては、砲弾型ＬＥＤの光束は、その特有の直進光のため、照射範囲の狭いものが多く、また、光の照射されている部分と、照射の無い部分との明暗の差が極端であり、光の境界が発生しているものもあるが、チップ型ＬＥＤは投射角度が大きくそのような問題が生じにくいからである。
【００３３】
光拡散カバー１４の材質は、レンズに用いられるアクリル樹脂などの透明樹脂が好適である。光拡散カバー１４の内面であってＬＥＤモジュールＭに対向してＬＥＤチップ１３の発光が入射する面には、図３（ｂ）に示すように、光拡散カバー１４から出射される光が多少の乱反射と拡散光となるように、断面三角形（ダイヤカット模様）のプリズム列１４ａが形成されている。なお、プリズム列の形状は一例であり、光源がＬＥＤと認識でき、かつグレアーを感じさせない柔らかい光で、照明エリアを広げる機能を備えるものであればよい。例えば、図４（ａ）のような凹曲面（霞模様）のプリズム列１４ｂや図４（ｂ）のような凸曲面のプリズム列１４ｃを採用することもできる。
【００３４】
ベース部１５の背面（光拡散カバー１４が設けられる側とは反対側の平坦な面）には、図３（ｂ）に示すように、強力な接着力を持つ両面テープ２４の一方の面が張り付けられている。よって、両面テープ２４の他方の面のフィルム材を剥離して壁や柱などの任意の位置に、超低消費電力タイプＬＥＤ照明ユニット１０を容易に接着して取付けることができる。なお、両面テープ２４の代わりに、図５に示すように、ベース部１５の背面と面一に突出するネジ穴２６付きフランジ１５ａを２箇所程度ベース部１５と一体に設け、壁や柱にネジ止めで取付けるようにしてもよい。
【００３５】
＜配線材＞
配線材２０nとしては、玄関の呼び鈴等に使用されている、厚み２ｍｍ、断面積０．５ｍｍ2程度の細い平型の２心電線を好適に使用できる。この電線は、アルミサッシの下部両端の、レール溝のゴミ清掃掃きだし用のレール切れ目の隙間に通すことできるため、ベランダに置かれた直流給電システム１（図１参照）から屋内への配線が容易である。本実施形態では、電線に通電される直流は１２Ｖ以下と低い電圧の上、電流も非常に微小なため、電圧降下がほとんどない点も魅力である。
【００３６】
屋内に配線される電線は、市販品の両面テープ２５付き配線用エンビ・モールドケース（以下、配線用ケースという）２３を使用すれば、電線を所望の経路に沿ってガイドしながら隠すことができる。このような配線用ケース２３は、１ｍ又は２ｍ切断品として１００円ショップやＤＩＹ店で安価で販売されており、簡単に手に入り、何の知識・技術もない一般消費者でも簡単に貼付け固定設置ができる。色も白・灰色・黒・クリーム色・木目調の黄土色または茶系など実に多種類のものが販売されており、壁や柱の色に応じて目立たない色のものを選べば露出した配線用ケース２３が目障りになることを防げる。
【００３７】
配線用ケース２３を室内、廊下、階段、玄関等の壁最下部又は床面端（隅）に貼付け、この中に電線を通し、配線する。引き戸は鴨居の端（隅）を通過するように配線すれば、厚み２ｍｍ程度のこの電線は戸の開閉の邪魔にならず室内の気密も保てる。ドアは、最下部に必ず３〜４ｍｍの隙間があるため、この隙間に電線を通せばよい。本発明者自身、実際に自宅２階ベランダから、２階室内・廊下・階段を経由して玄関内１．８ｍの高さまで、配線できることを確認している。
【００３８】
なお、電線はプラス・マイナス各被覆されているが、サッシ・鴨居・ドア下等一部露出配線があるため、安全面を考慮し、この上から固定・電線保護機能を備えた、アルミサッシカラー・木目色調の薄いカバーテープを貼付けてもよい。また、余長分の電線はもつれ防止のため、目立たない箇所で束ねて、食パンの袋封じにも使われている、ビニタイで纏めて縛っておくとよい。
【００３９】
＜使用例＞
住宅内の廊下、階段、玄関等の移動経路に、上記低消費電力タイプＬＥＤユニット１０を取付けて使用する際の使用例を説明する。図６は、超低消費電力タイプＬＥＤ照明ユニット１０の使用状態を示す、廊下（ａ）及び階段（ｂ）の一部省略斜視図である。
【００４０】
廊下で使用する場合は、図６（ａ）に示すように、廊下３０の壁３１の床からの高さＨが１〜２ｍの範囲の適当な位置に、複数の超低消費電力タイプＬＥＤ照明ユニット１０を間隔を空けて両面テープ２４で接着して取付ける。隣接する超低消費電力タイプＬＥＤ照明ユニット１０、１０間は、配線材２０nと配線ケース２３を使用して配線、接続する。
【００４１】
階段で使用する場合は、図６（ｂ）に示すように、階段４０の壁４１に、複数の超低消費電力タイプＬＥＤ照明ユニット１０を間隔を空けて両面テープ２４で接着して取付ける。隣接する超低消費電力タイプＬＥＤ照明ユニット１０、１０間は、配線材２０nと配線ケース２３を使用して配線、接続する。この際、手摺４２と平行になるように壁４１伝いに配線すれば、配線材２０nや配線ケース２３が手摺４２の奧に隠れて目立たない。
【００４２】
このように、上記超低消費電力タイプＬＥＤ照明ユニット１０は、電気工事士資格や特別な知識のない者でも、廊下や階段、玄関、下駄箱、クローゼット等の柱や壁に簡単に取付、配線、接続できるため、住宅内の移動経路となる場所に必要な数だけ増設し、無灯火でも０．５〜１ルクス程度の明るさが終夜確保されるようにすることができる。
【００４３】
本実施形態によると、住宅内のこれまで照明灯のなかった暗い場所、これまで設置が困難であった場所、欲しい箇所に、電気代が不要で、当初購入費用も大きな負担とならず、最低限の明るさの終夜照明が可能となる。
【００４４】
また、長寿命の太陽電池と蓄電池を電源として、同様に長寿命の非常に発光効率の高い白色ＬＥＤを、更に通電電流を下げて長寿命化使用することにより、長期に渡りメンテナンスのほとんど必要のない、安定した独立型低照度照明装置として使える。
【００４５】
また、太陽電池電源方式の直流給電システムを使用するため、商用電源のような電気工事士による配線工事が不要である。ユーザがシステムを量販店・ＤＩＹ店で購入でき、自分で所要の場所に複数箇所への取付けが可能であり、設置後も簡単に移設できる。複数台使用で夜間の一般家庭の照明にかかる消費電力を低減させ、環境面でもＣＯ2削減にも大きく貢献する。
【００４６】
また、超低消費電力タイプＬＥＤ照明ユニットの電源となる、直流給電システムの外装ケースは高耐食性のステンレス鋼、又は耐蝕アルミニウム合金で製作しているので、初期塗装及び設置後の数年置きの補修塗装は不要である。
【００４７】
また、不照日数５〜７日分プラス余裕の容量を持たせた、長寿命蓄電池が電源のため、大地震他天災、電力系統事故が発生しても、真っ暗闇での避難路の目印にもなり、最低限の明かりは確保できるので、安全に屋外へ避難できる。
【００４８】
更に、家屋が倒壊から耐えても、地域が相当な被害が出た場合電力会社の変電所及び送電網損傷のため数日間は復旧せず、本来なら住宅内は暗闇となるが、この超低消費電力タイプＬＥＤ照明ユニットにより５〜１０日間の住宅内の夜間移動が可能となる。外出から夜間に帰宅した際も、玄関内が見通せ、廊下に登ってからの室内灯スイッチを操作するまで不便なく、行動できる。
【産業上の利用可能性】
【００４９】
本発明の住宅用局所照明装置は、災害停電時に屋外へ避難する際や、夜間に高齢者や子供が歩行移動する際の安全を十分に確保する非常灯、保安灯として利用価値が高い。
【符号の説明】
【００５０】
Ａ  住宅用局所照明装置
１  直流給電システム
２  太陽電池ユニット部
４  コントローラ
５  蓄電池
６  小型ヒューズ
１０  超低消費電力タイプＬＥＤ照明ユニット
１１  プリント基板
１２  チップ抵抗
１３  ＬＥＤチップ
１４  光拡散カバー
１５  ベース部
１５ａ  フランジ
２３  配線カバー
２４，２５  両面テープ
２６  ネジ穴
【図１】
2010250990.tif 000003
【図２】
2010250990.tif 000004
【図３】
2010250990.tif 000005
【図４】
2010250990.tif 000006
【図５】
2010250990.tif 000007
【図６】
2010250990.tif 000008